(57)【特許請求の範囲】
【請求項１】
グリル扉の開閉に応じて連動する支持体に受皿が支持され、前記グリル扉の開閉に伴い前記受皿がグリル庫内を前後に移動する構造のグリルであって、
前記グリル庫の後部に、前記受皿の後端側に当接して受皿温度を検知する受皿温度センサが前後に移動可能に設けられ、前記受皿温度センサは前記グリル扉の開閉を検知するグリル扉開閉検出機能を備え、
前記受皿温度センサの感温部が前方に付勢され、
前記グリル扉を閉状態で維持するために前記グリル扉を閉じる方向に付勢する手段として、
磁気の吸引力を利用して前記グリル扉を閉状態で維持し、前記グリル扉を閉じる方向に付勢する力が前記受皿温度センサの感温部が前方に付勢される力よりも大きく設定された閉状態維持機構、
または、前記グリル扉が所定距離よりも閉状態位置に近づくとバネ力を利用してグリル扉が自動的に閉状態に至るように作動し、前記グリル扉を閉じる方向に付勢する力が前記受皿温度センサの感温部が前方に付勢される力よりも大きく設定されたアシスト機構のうち少なくともいずれか一方を備えたことを特徴とするグリル。
【請求項２】
前記受皿に換えて、ダッチオーブン調理用の専用鍋が前記支持体に支持可能とされると共に、前記専用鍋の後端側に前記受皿温度センサの感温部が当接可能とされ、前記受皿温度センサが前記専用鍋の温度検出と前記グリル扉の開閉検出とを行うように構成されていることを特徴とする請求項１に記載のグリル。
【請求項３】
グリル扉の開閉に応じて連動する支持体に受皿が支持され、前記グリル扉の開閉に伴い前記受皿がグリル庫内を前後に移動する構造のグリルであって、
前記グリル庫の後部に、前記受皿の後端側に当接して受皿温度を検知する受皿温度センサが前後に移動可能に設けられ、前記受皿温度センサは前記グリル扉の開閉を検知するグリル扉開閉検出機能を備え、
前記受皿に換えて、ダッチオーブン調理用の専用鍋が前記支持体に支持可能とされ、前記受皿温度センサは、前記支持体にて支持されたものが前記受皿か前記専用鍋かを判別する判別機能を合わせ持つ構成になっていることを特徴とするグリル。
【請求項４】
前記受皿と前記専用鍋の形状に差異を設けることで前記受皿温度センサの感温部を押し込む距離が異なるように構成され、前記判別機能は、前記受皿温度センサの感温部を押し込む距離に応じて前記支持体にて支持されたものが前記受皿か前記専用鍋かを判別することを特徴とする請求項３に記載のグリル。
【請求項５】
前記判別機能は、前記受皿を検出する第１の検出手段と、前記専用鍋を検出する第２の検出手段とを備え、前記グリル扉を閉じて前記受皿を収納した状態から前記グリル扉を開いて前記受皿を引き出した状態に至るまでの間において前記第２の検出手段は前記受皿を検出しないように構成されていることを特徴とする請求項４に記載のグリル。
【請求項６】
前記グリル扉を閉状態で維持するために前記グリル扉を閉じる方向に付勢する手段として、磁気の吸引力を利用した閉状態維持機構、または、前記グリル扉が所定距離よりも閉状態位置に近づくとバネ力を利用してグリル扉が自動的に閉状態に至るように作動するアシスト機構のうち少なくともいずれか一方を備えるように構成されていることを特徴とする請求項３乃至５のいずれか１項に記載のグリル。
【請求項７】
前記受皿若しくは前記専用鍋の全体又はその一部が熱伝導率の高い金属を用いて構成されており、且つ、前記受皿又は前記専用鍋の内面には非密着性の高い表面処理が施されていることを特徴とする請求項２乃至６のいずれか１項に記載のグリル。
【請求項８】
前記熱伝導率の高い金属を、前記受皿又は前記専用鍋における、前記受皿温度センサの感温部と当接する後端部分から中央部に延びる部分の一部にのみ使用することを特徴とする請求項７に記載のグリル。
【請求項９】
前記受皿温度センサの感温部の上方に、被調理物から滴下する油分を前記受皿内に誘導するためのセンサ防汚用庇部を配置したことを特徴とする請求項１乃至８のいずれか１項に記載のグリル。
【請求項１０】
前記受皿温度センサの検出温度が所定の監視温度以上になった場合、または、前記受皿温度センサの検出温度の温度勾配が所定の監視勾配以上に急峻になった場合には、燃焼を停止させることを特徴とする請求項１乃至９のいずれか一項に記載のグリル。
【発明の詳細な説明】
【技術分野】
【０００１】
本発明は、グリルに関し、詳しくはグリルの温度検出及びグリル扉の開閉検出の技術に関するものである。
【背景技術】
【０００２】
従来より、受皿温度センサを庫内底面に配置し、その感温部を受皿底面に接触させて温度を測定するもの（例えば、特許文献１参照）や、排気路上に設けた受皿温度センサの温度変化によりグリル扉の開閉を検出するもの（例えば、特許文献２、３参照）が提案されている。
【先行技術文献】
【特許文献】
【０００３】
【特許文献１】特開平０６−１０５７５０号公報
【特許文献２】特開２００４−１１３６９７号公報
【特許文献３】特開２００４−１２１３７８号公報
【発明の概要】
【発明が解決しようとする課題】
【０００４】
しかしながら、従来技術では、以下の問題点があった。
【０００５】
（１）特許文献１に示されているように、グリル庫の庫内底面に受皿温度センサを配置した場合、扉の開閉に伴う摺動によって受皿センサの感温部が受皿の底面と常に擦れる状態にあるため機械的な故障の原因になりやすく、この問題を回避する為に扉の開閉を行い受け皿が移動する間だけ感温部と受皿底面とが離れる構造にしようとすれば、扉の開閉検出機構や受け皿の移動機構が複雑になってしまう不具合があった。
【０００６】
（２）そこで、特許文献２、３に示されているように、受皿温度センサ（または排気温度センサ）の温度変化によって扉の開閉を検出する方法を採用した場合、開閉検出にはグリルの燃焼が前提となっている為、扉を閉め切らずに燃焼を開始した場合、開閉検出によって燃焼を停止させる（あるいは火力を小さくする）までに、扉の隙間から漏れ出た排気によってカウンターが焦げたり、使用者に排気ガスが当たるなどの虞があった。
【０００７】
本発明は上記の事情に鑑みてなされたものであって、その目的とするところは、単純な構造で且つ機械的な故障が起こりにくくしながら受皿温度の検出とグリルで燃焼を開始する前におけるグリル扉の開閉検出ができる安全性に優れたグリルを提供することにある。
【課題を解決するための手段】
【０００８】
前記の課題を解決するために、本発明のグリルは、グリル扉３１の開閉に応じて連動する支持体２５に受皿３７が支持され、前記グリル扉３１の開閉に伴い前記受皿３７がグリル庫３０内を前後に移動する構造のグリルであって、前記グリル庫３０の後部に、前記受皿３７の後端３７ａ側に当接して受皿温度を検知する受皿温度センサ１８が前後に移動可能に設けられ、前記受皿温度センサ１８は前記グリル扉３１の開閉を検知するグリル扉開閉検出機能を備え、前記受皿温度センサ１８の感温部１９が前方に付勢され、前記グリル扉３１を閉状態で維持するために前記グリル扉３１を閉じる方向に付勢する手段として、磁気の吸引力を利用して前記グリル扉３１を閉状態で維持し、前記グリル扉３１を閉じる方向に付勢する力が前記受皿温度センサ１８の感温部１９が前方に付勢される力よりも大きく設定された閉状態維持機構４３、または、前記グリル扉３１が所定距離よりも閉状態位置に近づくとバネ力を利用してグリル扉３１が自動的に閉状態に至るように作動し、前記グリル扉３１を閉じる方向に付勢する力が前記受皿温度センサ１８の感温部１９が前方に付勢される力よりも大きく設定されたアシスト機構５０のうち少なくともいずれか一方を備えたことを特徴としている。
【０００９】
このような構成とすることで、受皿温度センサ１８にグリル扉開閉検出機能を持たせることにより、グリル扉３１の開閉検出を単純で且つ機械的な故障が発生しにくい構造にすることができる。しかも１つの受皿温度センサ１８で、グリルが燃焼していない状態でもグリル扉３１の開閉が検出でき、同時に、受皿温度を精度良く検出可能なグリルとすることができる。また、グリル扉３１を閉じた状態において、受皿３７の後端３７ａ側に受皿温度センサ１８が当接してグリル扉３１が開く方向に付勢された状態にあっても、閉状態維持機構４３またはアシスト機構５０の、少なくともいずれか一方により、確実にグリル扉３１を閉状態にすることが可能になる。
【００１０】
また、前記受皿３７に換えて、ダッチオーブン調理用の専用鍋７０が前記支持体２５に支持可能とされると共に、前記専用鍋７０の後端７０ａ側に前記受皿温度センサ１８の感温部１９が当接可能とされ、前記受皿温度センサ１８が前記専用鍋７０の温度検出と前記グリル扉３１の開閉検出とを行うように構成するのが好ましい。この場合、受皿３７と交換する使い方で、ダッチオーブン調理用の専用鍋７０を使用する場合でも、受皿温度センサ１８によってグリル扉３１の開閉を検知できると共に、専用鍋７０の温度についても直接計測できるので、より精度の良い制御を行うことが可能になる。
【００１１】
また、前記の課題を解決するために、本発明のグリルは、グリル扉３１の開閉に応じて連動する支持体２５に受皿３７が支持され、前記グリル扉３１の開閉に伴い前記受皿３７がグリル庫３１内を前後に移動する構造のグリルであって、前記グリル庫３０の後部に、前記受皿３７の後端側に当接して受皿温度を検知する受皿温度センサ１８が前後に移動可能に設けられ、前記受皿温度センサ１８は前記グリル扉３１の開閉を検知するグリル扉開閉検出機能を備え、前記受皿３７に換えて、ダッチオーブン調理用の専用鍋７０が前記支持体２５に支持可能とされ、前記受皿温度センサ１８は、前記支持体２５にて支持されたものが前記受皿３７か前記専用鍋７０かを判別する判別機能を合わせ持つ構成になっていることを特徴とする。
このような構成とすることで、受皿温度センサ１８にグリル扉開閉検出機能を持たせることにより、グリル扉３１の開閉検出を単純で且つ機械的な故障が発生しにくい構造にすることができる。しかも１つの受皿温度センサ１８で、グリルが燃焼していない状態でもグリル扉３１の開閉が検出でき、同時に、受皿温度を精度良く検出可能なグリルとすることができる。また、受皿３７と専用鍋７０とを判別できるので、グリル庫３０内に挿入されているものが受皿３７であるか専用鍋７０であるかに応じた火力制御が可能になる。
【００１２】
また、前記受皿３７と前記専用鍋７０の形状に差異を設けることで前記受皿温度センサ１８の感温部１９を押し込む距離が異なるように構成され、前記判別機能は、前記受皿温度センサ１８の感温部１９を押し込む距離に応じて前記支持体２５にて支持されたものが前記受皿３７か前記専用鍋７０かを判別するように構成するのが好ましい。この場合、受皿３７と専用鍋７０の形状を異ならせるだけの簡単な構成で、グリル庫３０内の支持体２５により支持されているものが受皿３７か専用鍋７０かを容易に判別できる。
【００１３】
また、前記判別機能は、前記受皿３７を検出する第１検出手段８１と、前記専用鍋７０を検出する第２検出手段８２とを備え、前記グリル扉３１を閉じて前記受皿３７を収納した状態からグリル扉３１を開いて前記受皿３７を引き出した状態に至るまでの間において前記第２検出手段８２は前記受皿３７を検出しないように構成するのが好ましい。この場合、専用鍋７０を用いたダッチオーブン調理の場合は、受皿３７上に焼き網を乗せて被調理物を焼き網調理する場合に比べて、内容物の発火が生じにくいのでグリルタイマ時間を長くできる。一方、焼き網調理の場合は、受皿３７が第２検出手段８２により検出される状態とはならないため、専用鍋７０を用いたダッチオーブン調理のように長いグリルタイマ設定がされる可能性や、専用鍋７０調理用の制御が実行されるようなことが無いから、安全である。
【００１４】
また、前記グリル扉３１を閉状態で維持するために前記グリル扉３１を閉じる方向に付勢する手段として、磁気の吸引力を利用した閉状態維持機構４３、または、前記グリル扉３１が所定距離よりも閉状態位置に近づくとバネ力を利用してグリル扉３１が自動的に閉状態に至るように作動するアシスト機構５０のうち少なくともいずれか一方を備えるように構成されているのが好ましい。この場合、グリル扉３１を閉じた状態において、受皿３７の後端３７ａ側に受皿温度センサ１８が当接してグリル扉３１が開く方向に付勢された状態にあっても、閉状態維持機構４３またはアシスト機構５０の、少なくともいずれか一方により、確実にグリル扉３１を閉状態にすることが可能になる。
【００１５】
また、前記受皿３７若しくは前記専用鍋７０の全体又はその一部が熱伝導率の高い金属を用いて構成されており、且つ、前記受皿３７又は前記専用鍋７０の内面には非密着性の高い表面処理が施されているように構成するのが好ましい。この場合、受皿３７（又は専用鍋７０）を例えば銅やアルミニウムといった熱伝導率の高い金属を用いて作ることにより、受皿３７の温度に対して受皿温度センサ１８が検出する温度の追随性が良くなるので、より、正確な制御を実行することが可能になり、調理性能と安全性が向上する。さらに受皿３７（又は専用鍋７０）の内面を例えばフッ素などの非密着性の高い表面処理を施すことにより、お手入れ性が向上する。
【００１６】
また、前記熱伝導率の高い金属を、前記受皿３７又は前記専用鍋７０における、前記受皿温度センサ１８の感温部１９と当接する後端部分から中央部に延びる部分の一部にのみ使用するように構成するのが好ましい。この場合、熱伝導率の高い金属材料の使用により、受皿３７等の温度検出精度の向上を図ることができ、しかも、受皿３７における感温部１９と当接する後端３７ａ部分から中央部に延びる部分以外の部分、又は専用鍋７０における感温部１９と当接する後端７０ａから中央部に延びる部分以外の部分を、それぞれ、熱伝導率が低い材料で構成することができるから、被調理物の保温性向上を図ることが可能になる。
【００１７】
また、前記受皿温度センサ１８の感温部１９の上方に、被調理物から滴下する油分を前記受皿３７内に誘導するためのセンサ防汚用庇部９５を配置するように構成するのが好ましい。この場合、センサ防汚用庇部９５によって被調理物から滴下した魚の油などを受皿３７内に誘導できるので、感温部１９に調理物からの汚れが付着するのを防止できる。
【００１８】
また、前記受皿温度センサ１８の検出温度が所定の監視温度以上になった場合、または、前記受皿温度センサ１８の検出温度の温度勾配が所定の監視勾配以上に急峻になった場合には、燃焼を停止させるように構成するのが好ましい。この場合、被調理物や被調理物から発生する油脂に近い部分の温度や温度変化に応じて燃焼を停止できるから、確実に受皿３７等の発火防止が実現できる。
【発明の効果】
【００１９】
本発明のうち請求項１記載の発明は、受皿温度センサにグリル扉開閉検出機能を持たせることにより、機械的な故障が起こりにくく、扉の開閉検出機構も単純でありながら、受皿温度を精度良く検出でき、且つ、グリルで燃焼を開始する前にグリル扉の開閉が検出でき、扉を開いた状態で使用した場合にも、扉の開閉検出のための燃焼によって発生する排気によってカウンターが焦げたり、使用者に排気ガスが当たるなどの虞がないグリルを得ることができる。また、受皿の後端側に受皿温度センサが当接してグリル扉が開く方向に付勢された状態にあっても、確実にグリル扉を閉状態にすることが可能になる。
【００２０】
請求項２記載の発明は、請求項１の効果に加えて、受皿に換えてダッチオーブン調理用の専用鍋を使用する場合でも、グリル扉の開閉を検知できると共に、ダッチオーブン料理のより精度の良い制御を行うことが可能になる。
【００２１】
請求項３記載の発明は、受皿温度センサにグリル扉開閉検出機能を持たせることにより、機械的な故障が起こりにくく、扉の開閉検出機構も単純でありながら、受皿温度を精度良く検出でき、且つ、グリルで燃焼を開始する前にグリル扉の開閉が検出でき、扉を開いた状態で使用した場合にも、扉の開閉検出のための燃焼によって発生する排気によってカウンターが焦げたり、使用者に排気ガスが当たるなどの虞がないグリルを得ることができる。また、グリル庫内に挿入される受皿と専用鍋とに応じた火力制御が可能になる。
【００２２】
請求項４記載の発明は、請求項３の効果に加えて、受皿と専用鍋の形状を異ならせるだけの簡単な構成で、受皿か専用鍋かの判別が容易となる。
【００２３】
請求項５記載の発明は、請求項４の効果に加えて、焼き網調理の場合やダッチオーブン調理の場合のいずれにおいても、安全に加熱調理を行うことができる。
【００２４】
請求項６記載の発明は、請求項３〜５のいずれかの効果に加えて、受皿の後端側に受皿温度センサが当接してグリル扉が開く方向に付勢された状態にあっても、確実にグリル扉を閉状態にすることが可能になる。
【００２５】
請求項７記載の発明は、請求項２〜６のいずれかの効果に加えて、より正確な制御を実行することが可能になると共に、お手入れ性が向上する。
【００２６】
請求項８記載の発明は、請求項７の効果に加えて、受皿等の温度検出精度の向上を図ることができると共に、保温性向上を図ることが可能になる。
【００２７】
請求項９記載の発明は、請求項１〜８のいずれかの効果に加えて、受皿温度センサの感温部に調理物からの汚れが付着するのを防止できる。
【００２８】
請求項１０記載の発明は、請求項１〜９のいずれかの効果に加えて、被調理物や被調理物から発生する油脂に近い部分の温度や温度変化に応じて燃焼を停止することで、確実に受皿等の発火を防止でき、安全性が向上する。
【図面の簡単な説明】
【００２９】
【図１】本発明の一実施形態のグリル付き加熱調理器の斜視図である。
【図２】同上のグリル庫内部の概略正面図である。
【図３】同上のグリルの概略構成図である。
【図４】同上のグリル庫の後側に設けられた受皿温度センサを示し、（ａ）はグリル扉が開いて受皿温度センサが受皿から離間した状態を示し、（ｂ）はグリル扉が閉じて受皿温度センサの感温部が受皿の後端に当接した状態を示す概略側面図である。
【図５】（ａ）は同上の感温部が前方に位置して永久磁石の磁力線が遮蔽されている状態を示し、（ｂ）は感温部が後方に移動して永久磁石の磁力線が遮蔽されない状態を示す模式図である。
【図６】同上の操作パネルの説明図である。
【図７】同上のグリル庫に設けられるアシスト機構、閉状態維持機構、温度センサを説明する概略構成図である。
【図８】（ａ）〜（ｄ）は同上のグリル扉を開いた状態から閉じた状態に移行する際の受皿温度センサによる受皿温度検出とグリル扉開閉検出とを説明する平面図である。
【図９】（ａ）は焼き網載置用受皿を移動用レール上に載せた場合におけるグリル扉を開いた状態の説明図であり、（ｂ）はダッチオーブン料理用の専用鍋を移動用レール上に載せた場合におけるグリル扉を開いた状態の説明図であり、（ｃ）は（ａ）のグリル扉を閉じた状態の説明図であり、（ｄ）は（ｂ）のグリル扉を閉じた状態の説明図である。
【発明を実施するための形態】
【００３０】
以下、本発明の実施の形態について、図面を参照しながら説明する。
【００３１】
グリルは、以下に示す実施形態ではグリル付きのガスこんろに備えられたグリルであるが、こんろを備えずグリル単独でもよく、少なくともグリルを備えた加熱調理器であれば特に限定されない。
【００３２】
図１に示すように、ガスこんろ１の天面部を構成するガラス製のトッププレート１１にはこんろバーナからなるこんろ部２を複数設けている。図示例では、こんろ部２として、標準バーナ２ａを備えた左こんろ部２が向かって左側の手前に設けてあり、小バーナ２ｂを備えた後こんろ部２が左右方向中央の奥に設けてあり、高火力バーナ２ｃを備えた右こんろ部２が向かって右側の手前に設けてある。
【００３３】
トッププレート１１の上面には各こんろバーナ２ａ〜２ｃを中央に配置した五徳２２を設けている。よって本実施形態では各五徳２２がこんろバーナ２ａ〜２ｃによって鍋等を加熱する際に載置するための載置部となる。
【００３４】
グリル３は、図１、図２、図３に示すように、ガスこんろ１内にグリルバーナ３２を設けたグリル庫３０を備えて構成している。グリル３は、輻射加熱または対流加熱によってグリル庫３０に収容された被調理物３４を加熱調理するものである。グリル庫３０の被調理物３４の出し入れ用の前開口は、ガスこんろ１の前面に設けたグリル扉３１によって開閉自在に閉塞される。グリル庫３０内の下部に受皿３７を設けると共に、受皿３７上に、被調理物３４を載置させる載置部としての焼き網３３を載置して、その被調理物３４をグリルバーナ３２にて加熱するように構成されている。グリル庫３０の後方側には、グリルバーナ３２の燃焼排ガスを機外に排気させる排気通路（図示略）が上方側に延びる状態で連設され、その排気通路にてグリルバーナ３２の燃焼排ガスを排気口１５に導くように構成されている。グリルバーナ３２は、グリル庫３０の上部に配設され焼き網３３に載置される被調理物３４の上面を加熱する上バーナ３２ａと、グリル庫３０の下部に配設され被調理物３４の下面を加熱する左右一対の下バーナ３２ｂとからなる。
【００３５】
グリル３による調理設定の入力を行うためのグリル用設定入力用の操作パネル６は、図６に示すように、グリル３の点火・消火操作をするための点火・消火スイッチ６１、グリル３による調理時間（焼成時間）を設定するためのタイマー増減スイッチ６２、上火、下火の火力を切換るための火力切替スイッチ６３、焼成するメニューを選んで該当する焼成物に対応した焼成制御を選択するためのメニュースイッチ６４、アラカルトメニュー（後述）を選んで該当するアラカルトメニューに対応した焼成制御を選択するためのアラカルトメニュースイッチ６５、タイマー増減スイッチ６２、火力切替スイッチ６３、メニュースイッチ６４、アラカルトメニュースイッチ６５等を操作して設定した各入力を取り消すための取消しスイッチ６６等を備えている。  
【００３６】
次に、グリル３を使用する場合につき説明する。操作パネル６を備えた可動部材の前面上部を押して操作パネル６をこんろ本体の前面から前方に突出して図１に示すように上方に露出させ、上方を向いている操作パネル６の図６に示したメニュースイッチ６４やアラカルトメニュースイッチ６５やタイマー増減スイッチ６２を指で押すことで調理メニューやアラカルトメニューや調理時間等のグリル調理の設定入力を行い、次に、点火・消火スイッチ６１を指で押して点火入力操作を行ってグリル３に点火するものである。これによって、目的とするグリル調理がなされるように制御部１０（図３参照）により火力調整、調理時間等が制御されてグリル自動調理が行われるものである。調理設定の入力が終わると、当該可動部材の前面上部を押して操作パネル６が外部に露出しないように収納するものであり、これによりグリル３による調理中に操作パネル６が汚れるのを防止できる。なお、グリル３における自動調理中に自動調理を中止したい場合には点火・消火スイッチ６１を指で押すことで消火して自動調理を中止できる。
【００３７】
メニュースイッチ６４により切り替えられるメニューとしては、「姿焼」「切身」「干物」があり、アラカルトメニュースイッチ６５としては、「ダッチオーブン」「ピザ」「焼きおにぎりあたため」の３種類から選択できるようになっている。また、アラカルトメニューの内から、「ピザ」を選択したときは付属品の金属製の調理プレート（図示せず）を焼き網３３の上に設置し、この調理プレートの上に食パンやピザ等の被調理物３４を載置して調理を行う旨、取扱説明書で推奨しており、使用者はこれに従い必要に応じて付属品の調理プレートを用い、アラカルトメニュースイッチ６５を操作してアラカルトメニュー調理を行う。
【００３８】
そして、このグリル３には、グリルバーナ３２による加熱を開始した後の初期において、焼き網３３における被調理物３４の載置状態の違いに応じて変化する温度上昇速度（温度上昇勾配という）を計測するための調理用温度検出手段８０（図３参照）が備えられる。この調理用温度検出手段８０は燃焼排ガス温度を検知するものである。制御部は、調理用温度検出手段８０の検出情報に基づいて温度上昇勾配を求める判定用情報算出処理、及び、その判定用情報算出処理にて求めた前記温度上昇勾配の情報に基づいて、前記判定用情報算出処理を実行してから被調理物３４に対する加熱を終了するまでの総加熱時間ＴＴを求める。総加熱時間ＴＴは、調理メニューの種類と、被調理物３４の載置状態に応じて、予め定められた値を適用したり、予め定められた算出式から値を求めるものである。
【００３９】
前記温度上昇勾配が小さい、すなわち、所定時間における温度上昇値が小さい場合は、グリル３の焼き網３３に熱容量の大きい、大きな被調理物３４が載置されていると判断できるから、前記温度上昇勾配に応じ総加熱時間ＴＴは長い目に演算、設定され、前記温度上昇勾配が大きい、すなわち、所定時間における温度上昇値が大きい場合は、グリル３の焼き網３３に熱容量の小さい、小さな被調理物３４が載置されていると判断できるから、前記温度上昇勾配に応じ総加熱時間ＴＴは短い目に演算、設定される。総加熱時間ＴＴは、温度上昇勾配に応じた値が予め定められているか、あるいは予め定められている算出式に温度上昇勾配の値を代入して算出される。
【００４０】
また、グリルバーナ３２による加熱を開始した時点から、総加熱時間ＴＴが演算、設定された時点までの経過時間Ｔ１が計測されている。
【００４１】
そして、総加熱時間ＴＴが演算、設定された時点から被調理物３４に対する加熱を終了するまでの残加熱時間Ｔ２をＴ２＝ＴＴ−Ｔ１として求め、Ｔ２をグリル用タイマ表示部（図６のタイマー増減スイッチ６２の上側）に表示する。
【００４２】
Ｔ２をグリルタイマ表示部に表示した後は、時間の経過に従い、グリルタイマ表示部に表示された残加熱時間Ｔ２をカウントダウンしていき、グリルタイマ表示部の表示がゼロになった時点でグリルバーナ３２を消火し、グリル自動調理制御を終了するものである。
【００４３】
以下、本実施形態の受皿温度センサ１８の温度検出とグリル扉開閉検出機能とについて説明する。
【００４４】
グリル扉３１は、支持体を構成する移動用レール２５（図２参照）と接続されている。移動用レール２５は固定レール２５ａ（図７参照）に沿って前後移動自在に支持されている。使用者が取手を持ってグリル扉３１を引き出したり押し入れたりすることで、移動用レール２５上に載置された受皿３７とその上に載置された焼き網３３とが前後に移動するように構成されている。
【００４５】
グリル庫３０の後方（奥側）には、図４に示すように、受皿温度センサ１８の感温部１９が、グリル庫３０の後板３０ａの下方部に取り付けられている。感温部１９はバネ４６（図７参照）のバネ力でグリル庫３０内に向かって付勢された状態で取り付けられている。感温部１９が、グリル扉３１が閉じた状態の時に受皿３７の奥側の後端３７ａに当接することで、受皿温度を検出するように構成されている。
【００４６】
グリル庫３０における感温部１９より上方側の後板３０ａには、鍔状のセンサ防汚用庇部９５が突設されている。このセンサ防汚用庇部９５は滴下した魚の油などを遮って受皿３７内に誘導することで、感温部１９に調理物からの汚れが付かないようにするためのものである。
【００４７】
受皿温度センサ１８は、グリル扉開閉検出機能を有している。図４に示すように、受皿温度センサ１８の感温部１９の後面には連接棒１７の一端が連接され、連接棒１７の他端は後板３０ａを貫通して外側に突出しており、この連接棒１７の突出部分には磁性体４０が取り付けられている。磁性体４０は感温部１９と一体に前後に移動自在とされる。感温部１９が受皿３７の後端３７ａと当接しないときは磁性体４０は前方に位置して、リードスイッチ４２に近接配置されるようになっている（図４（ａ）の状態）。感温部１９が受皿３７の後端３７ａに当接して後方に押圧されたときには磁性体４０も後方に移動して、リードスイッチ４２から離間配置されるようになっている（図４（ｂ）の状態）。このように磁性体４０が受皿温度センサ１８の感温部１９の動きに連動して永久磁石４１とリードスイッチ４２との間を出入りすることで、リードスイッチ４２へと向かう磁力線Ｍを遮蔽したり（図５（ａ）参照）、リードスイッチ４２へと向かう磁力線Ｍを遮蔽せずにリードスイッチ４２へと向かう磁力線Ｍの透過を許容したりして（図５（ｂ）参照）、グリル扉３１の開閉を検出するように構成されている。なお、図５（ａ）（ｂ）において永久磁石４１の左側をＮ極とし右側をＳ極として説明しているが、左側をＳ極とし右側をＮ極としてもよい。
【００４８】
そして、上記の構成に加え、グリル扉３１の閉状態を維持するために付勢を加える手段として、以下の２つの閉状態維持機構４３とアシスト機構５０の内、少なくとも、１つは備えるように構成されている。（図７、図８参照。）
図７に示すように、閉状態維持機構４３は、グリル扉３１とグリル庫３０の入口周縁部との当接面に設けられ、永久磁石４４と鉄などの磁性体４５とからなる。永久磁石４４はグリル扉３１の左右２箇所に設けられており、グリル扉３１が閉状態の時には、グリル庫３０前面の左右２箇所に設けた磁性体４５に磁着されて閉状態が維持されるようになっている。
【００４９】
さらに、グリル庫３０にアシスト機構５０が設けられている。アシスト機構５０は、例えば固定体から引き出された移動体を所定位置からバネ力で自動的に固定体に引き込む自動引き込み装置で構成される。グリル扉３１が所定距離よりも閉状態位置に近づくとアシスト機構５０のアシスト力が働いて、グリル扉３１が自動的に閉状態に至るように構成されている。この場合、グリル扉３１を閉状態と検出する位置を、アシスト機構５０が働く所定距離よりも短くするように調整することで、開閉検出の誤動作が起きないようにしている。
【００５０】
また、閉状態維持機構４３とアシスト機構５０によるグリル扉３１を閉じる方向に付勢する力は、受皿温度センサ１８の感温部１９を前方に押すバネ４６のバネ力よりも大きく設定される。これによりグリル扉３１を閉じたときに感温部１９を受皿３７の後端３７ａに確実に接触させながら、同時にグリル扉３１の閉状態が維持されるようになっている。
【００５１】
そして、受皿温度センサ１８の検出温度が所定の監視温度以上、例えば、油の引火温度に近い３００℃以上になった場合、または、検出温度の温度勾配が所定の監視勾配、例えば、２０ｄｅｇ／分以上に急峻になった場合には、制御部１０（図３参照）はガスの供給を停止して燃焼を停止させるものである。
【００５２】
上記構成によれば、以下の作用効果が得られる。
【００５３】
（１）グリル扉３１を開いた状態（図８（ａ）の状態）では、感温部１９がバネ４６によって前方に移動しており、このとき磁性体４０は永久磁石４１からの磁力線Ｍを遮蔽するので、リードスイッチ４２はＯＦＦに保たれる。この状態ではグリル扉３１に対するアシスト機構５０及び閉状態維持機構４３の付勢力、バネ４６の付勢力はそれぞれ働かない。
【００５４】
グリル扉３１を閉じていくと（図８（ｂ）→（ｃ）の状態）、アシスト機構５０による付勢力が徐々に大きくなり、グリル扉３１が完全に閉じられると（図8（ｄ）の状態）、アシスト機構５０による付勢力は小さくなり、その換わりに、閉状態維持機構４３の永久磁石４４による付勢力（磁気吸引力）が大きくなり、グリル扉３１が閉状態に維持される。このとき、受皿温度センサ１８の感温部１９が受皿３７の後端３７ａに押されて、バネ４６のバネ力に抗して後方に移動して、磁性体４０が永久磁石４１からの磁力線Ｍを遮蔽しなくなると、リードスイッチ４２はＯＮに切り替わり、グリル扉３１が開状態から閉状態になったことが検出される。
【００５５】
これにより、受皿温度センサ１８はグリル扉開閉検出機能を有するようになり、従来のようなグリル扉開閉検出専用のマイクロスイッチ等の部品を別途設ける必要がない。しかもグリル扉開閉検出機能を構成する磁性体４０、永久磁石４１、リードスイッチ４２はグリル庫３０の外側に設けられているので、グリル扉３１の開閉検出を単純で且つ機械的な故障が発生しにくい構造にすることができる。またグリルが燃焼していない状態でもグリル扉３１の開閉が検出でき、同時に、感温部１９が受皿３７の後端３７ａに直接当接可能とすることで、受皿温度を精度良く検出可能なグリル３とすることができる。
【００５６】
（２）受皿温度センサ１８の感温部１９が受皿３７の後端３７ａに当接することで、受皿３７の温度を直接計測でき、受皿３７に溜まった油（魚から滴下したもの）の温度を、従来のような排ガス温度からの間接測定よりも、より正確に知ることができる。そして、受皿温度が３００℃を越えた場合は燃焼を停止させる、または、受皿温度の温度上昇勾配が急に大きくなった場合に燃焼を停止させる、などの方法を用いることで、より安全にグリルの発火を防止することが可能になる。例えば、油の引火温度≒３２０℃、油の発火温度≒３６０℃であり、受皿３７に溜まった油が熱分解を始めると分解熱が出る為、受皿温度が急激に上昇することになるが、これを検出することで被調理物３４や被調理物３４から発生する油脂に近い部分の温度や温度変化に応じて燃焼を停止できるから、確実に受皿３７の発火防止ができ、安全性がより向上するものとなる。
【００５７】
（３）グリル扉３１は、閉状態維持機構４３とアシスト機構５０の両方、または一方によって閉じる方向に付勢維持されるため、感温部１９を前方に付勢するバネ４６の力に打ち勝ってグリル扉３１は確実に閉状態に維持されることとなり、加熱調理中に不用意にグリル扉３１が開く心配はない。
【００５８】
（４）受皿温度センサ１８の感温部１９の上方に、被調理物から滴下する油分等を前記受皿３７内に誘導するためのセンサ防汚用庇部９５が設けられているため、被調理物から滴下した魚の油などはセンサ防汚用庇部９５を伝って受皿３７内に誘導されることとなり、感温部１９に調理物からの汚れが付着するのを防止できる。
【００５９】
図９は他の実施形態を示している。グリル扉３１の移動用レール２５上には、焼き網３３が載置された受皿３７に換えて、ダッチオーブン調理用の専用鍋７０が載置可能とされる（図９（ｂ）の状態）。専用鍋７０の奥行き寸法Ｓ２（図９（ｂ））は、受皿３７の奥行き寸法Ｓ１（図９（ａ））よりも長く設定されており、これにより、グリル扉３１が閉状態になったときの磁性体４０の前後方向位置が異なるように構成されている。
【００６０】
また、受皿温度センサ１８は、受皿３７の代わりに載置して使用する専用鍋７０の温度検出（図９（ｄ）の状態）を可能とすると共に、受皿３７と専用鍋７０のどちらの使用状態でも、グリル扉３１の開閉検出を可能とする。本例では、焼き網３３が載置された受皿３７がレール２５上に載置された場合にグリル扉３１が閉状態になった第１検出状態を検出する第１永久磁石４１と第１リードスイッチ４２との組み合わせによる第１検出手段８１を備える。さらに、第１検出手段８１の後方には、第２検出手段８２が設けられている。この第２検出手段８２は、ダッチオーブン料理用の専用鍋７０がレール２５上に載置された場合にグリル扉３１が閉状態になった第２検出状態を検出する第２永久磁石４１ａと第２リードスイッチ４２ａとの組み合わせからなる。受皿３７と専用鍋７０の判定状態を以下の［表１］に示す。
【００６１】
【表１】
0005785412.tif 000002
【００６２】
まず、受皿３７の使用時にグリル扉３１を開くと（図９（ａ）の状態）、感温部１９が前方に移動して第１リードスイッチ４２はＯＦＦ、第２リードスイッチ４２ａはＯＮのままであり、このとき制御部１０（図３参照）はグリル扉３１の開状態にあると判定して燃焼不能とする。その後、グリル扉３１を閉じると（図９（ｃ）の状態）、受皿３７が感温部１９を押し込む距離が短い（浅い）ため、磁性体４０は第１リードスイッチ４２と第２リードスイッチ４２ａの中間に移動して、両リードスイッチ４２,４２ａは共にＯＮとなり、制御部１０はグリル扉３１の閉状態にあると判定して燃焼可能とする。
【００６３】
一方、専用鍋７０の使用時にグリル扉３１を開くと（図９（ｂ）の状態）、感温部１９が前方に移動して第１リードスイッチ４２はＯＦＦとなり、第２リードスイッチ４２ａはＯＮのままであり、制御部１０はグリル扉３１が開状態にあると判定して、燃焼不能とする。その後、グリル扉３１を閉じると（図９（ｄ）の状態）、専用鍋７０が感温部１９を押し込む距離が長い（深い）ため、磁性体４０は第１リードスイッチ４２と第２リードスイッチ４２ａの中間位置から更に後方に移動して、最終的に第１リードスイッチ４２はＯＮとなり、第２リードスイッチ４２ａはＯＦＦとなり、制御部１０はグリル扉３１の閉状態にあると判定して燃焼可能とする。
【００６４】
このようにすることで、焼き網３３が載置された受皿３７がレール２５上に載置されている焼き網収納状態と、ダッチオーブン調理用の専用鍋７０がレール２５上に載置されているダッチオーブン鍋収納状態との何れの場合でも、グリル扉開閉を検出できると共に、受皿３７か専用鍋７０かの判定をすることができ、この判定結果に応じて、グリルタイマで設定可能なタイマの最大値を変更したり、温度調節制御方法を制御部によって自動的に行うことができるものとなる。
【００６５】
また、従来のダッチオーブン調理では排ガス温度によるラフな火力調節しか行われていないが、本実施形態では受皿３７と交換する使い方で、ダッチオーブン調理用の専用鍋７０を使用する場合でも、受皿温度センサ１８によってグリル扉３１の開閉を検知できると共に、専用鍋７０の温度についても直接計測できるので、より精度の良い制御を行うことが可能になる。
【００６６】
そのうえ、受皿３７と専用鍋７０の奥行き寸法（形状）に差異を設けて、感温部１９を押し込む距離が異なるように構成すればよいので、受皿３７か専用鍋７０かの判別を容易に実現でき、この判別結果に応じて受皿３７であるか専用鍋７０であるかに応じた火力制御が可能になる。
【００６７】
つまり、専用鍋７０を用いたダッチオーブン調理の場合は、受皿３７上に焼き網を乗せて被調理物を焼き網調理する場合に比べて、内容物の発火が生じにくいのでグリルタイマ時間を長くできる。一方、受皿３７の使用時には、グリル扉３１を開いて受皿３７を引き出した状態からグリル扉３１を閉じて受皿３７を収納した状態に至るまでの間において、第２検出手段８２の第２リードスイッチ４２ａは常にＯＮ状態に保たれ（図９（ａ）、（ｃ）の状態）、受皿３７が第２検出手段８２によって検出される可能性がない。これにより、焼き網調理の場合には、専用鍋７０を用いたダッチオーブン調理のように長いグリルタイマ設定がされる可能性や、専用鍋７０調理用の制御が実行されるようなことが無いから、きわめて安全である。一方、専用鍋７０を用いたダッチオーブン調理の場合は、焼き網収納状態で焼き網３３上に魚などの被調理物を直接載置して調理を行う焼き網調理の場合に比べて内容物の発火が生じにくいから、専用鍋７０を用いた調理の場合の設定可能なタイマの最大値を焼き網調理の場合に比べ制御部１０によって自動的に長く設定できることができるようになり、結果、使い勝手の向上を図ることができる。
【００６８】
図９の例では、２つのリードスイッチ４２、４２ａを使った実施例を示したが、これに限らず、マイクロスイッチ等のような位置検出手段を別途用いる構成であっても良い。
【００６９】
前記実施形態の受皿３７又は専用鍋７０の材質は、温度測定を正確にするために銅やアルミニウムなどの熱伝導率の高い金属を用いて構成される。これにより、受皿３７（専用鍋７０）全体でほぼ温度が均一となるため、受皿温度センサ１８による正確に温度を検知することができ、より正確な加熱制御を実行することが可能になり、安全性向上が図られる。
【００７０】
なお、受皿３７又は専用鍋７０の一部のみを熱伝導率の高い金属を用いて構成してもよい。このようにすることで、コストが低減できる。また、この場合においては、受皿３７（専用鍋７０も同様）の感温部１９と当接する後端３７ａ部分から中央部に延びる部分の一部にのみ使用し、それ以外の部分を熱伝導率が低い材料で構成することが望ましい。これにより、受皿３７（専用鍋７０）の温度に対して受皿温度センサ１８が検出する温度の追随性を良くして、温度検出精度の向上を図ることができ、同時に、被調理物３４の保温性向上を図ることが可能になる。また、受皿３７（専用鍋７０）の感温部１９と当接する部分から中央部に延びる熱伝導率の高い部分を、受皿３７（専用鍋７０）の本体とは別部品で構成しておき、本体に別部品として取り付ける構成としてもよい。
【００７１】
さらに、受皿３７又は専用鍋７０の内面にはフッ素などの非密着性の高い表面処理を施すのが望ましい。この場合、フッ素などの非密着性の高い表面処理によって、お手入れ性が向上する。
【００７２】
本発明のグリルは、ガスを加熱用のエネルギー源とする場合に限らず、電気その他のエネルギーを加熱用のエネルギー源として用いるものであってもよい。
【符号の説明】
【００７３】
１  ガスこんろ
２  こんろ部
３  グリル
６  操作パネル
１０  制御部
１８  受皿温度センサ
１９  感温部
２５  支持体
３０  グリル庫
３１  グリル扉
３２  グリルバーナ
３３  焼き網
３４  被調理物
３７  受皿
３７ａ  後端
４０  磁性体
４１,４１ａ  永久磁石
４２,４２ａ  リードスイッチ
４３  閉状態維持機構
５０  アシスト機構
７０  専用鍋
７０ａ  後端
８１  第１検出手段
８２  第２検出手段
９５  センサ防汚用庇部
【図１】
0005785412.tif 000003
【図２】
0005785412.tif 000004
【図３】
0005785412.tif 000005
【図４】
0005785412.tif 000006
【図５】
0005785412.tif 000007
【図６】
0005785412.tif 000008
【図７】
0005785412.tif 000009
【図８】
0005785412.tif 000010
【図９】
0005785412.tif 000011